(57)【要約】【課題】  配達物の不正取り出しを防止する配達物不正取出防止具をポストに対して適正に取り付けることができ、配達物不正取出防止具本来の機能を十分に発揮させることのできる配達物不正取出防止具の取り付け方法を提供する。【解決手段】  ポストの前面内側になる平面状の前壁面に対して受入口の他端縁に沿って取り付けられる第一取付部材と、前面側から背面側に延びる平面状の第一内壁面に取り付けられる第二取付部材とで構成された配達物不正取出防止具の取り付け方法であって、内側に回転させた蓋体と第一内壁面と対向する平面状の第二内壁面とに位置決部材を沿わせて位置決部材を仮止めする。位置決部材の蓋体の端縁に沿わせた部位の反対側に形成された被位置決部に第二取付部材を沿わせ、第二取付部材を蓋体と平行又は略平行な姿勢にして固定する。蓋体を閉じた状態で位置決部材を取り外す。【選択図】図４
2008142262.tif 000002
【特許請求の範囲】
【請求項１】
前面に配達物の受入口が略長方形状に形成されるとともに、内部に配達物を収容する収容スペースが形成され、前記受入口の長手方向に延びる一端縁に沿った軸周りで内部側に回転することで受入口を開放する略長方形状の蓋体を備えたポストの前面内側の前壁面に対し、受入口の他端縁に沿って取り付けられる第一取付部材と、受入口の前記一端縁側に位置して前記前面側から背面側に延びる平面状の第一内壁面に取り付けられる第二取付部材とで構成され、第一取付部材及び第二取付部材は、ポストに取り付けられた状態で、収容スペースと受入口との間で互いに相手側に向けて延出する取出阻止体を備え、第一取付部材及び第二取付部材の少なくとも何れか一方の取出阻止体が、受入口から入れられた配達物に押されて弾性変形することで配達物の収容スペースへの通過を許容するように構成された配達物不正取出防止具の取り付け方法であって、第一取付部材を前壁面に対して受入口の他端縁に沿って取り付ける第一取付工程と、第二取付部材を第一内壁面に取り付ける第二取付工程とを備え、第二取付工程は、受入口の前記他端縁側に位置し、前記前面側から背面側に延びて第一内壁面と平行又は略平行な状態で対向する平面状の第二内壁面に位置決部材の被位置決面を沿わせるとともに、内側に回転させた蓋体の先端に前記位置決部材の被位置決部を沿わせ、該位置決部材をポストに対して位置決めしつつ第二内壁面に仮止めする位置決部材仮止工程と、仮止めされた位置決部材の前記被位置決部の反対側に形成された部材位置決部に第二取付部材を沿わせて蓋体の先端と平行又は略平行な姿勢で位置決めしつつ第一内壁面に固定する取付部材固定工程と、第二取付部材を第一内壁面に固定した後、位置決部材を取り外す位置決部材除去工程とを備えていることを特徴とする配達物不正取出防止具の取り付け方法。
【請求項２】
前記位置決部材は、一方の面で前記被位置決面を構成する平板状のベース部と、該ベース部に対して直角又は略直角をなすようにベース部の他方の面に延設された平板状の延出部とを備え、前記被位置決部が延出部の一方の面で構成されるとともに、前記部材位置決部が延出部の他方の面で構成されている請求項１記載の配達物不正取出防止具の取り付け方法。
【請求項３】
前記位置決部材は、前記延出部がベース部の一方の面の一端に延設され、断面Ｌ字状に形成されている請求項２記載の配達物不正取出防止具の取り付け方法。
【発明の詳細な説明】
【技術分野】
【０００１】
本発明は、郵便物や新聞等の配達物を受け入れるポストに取り付ける配達物不正取出防止具の取り付け方法に関する。
【背景技術】
【０００２】
郵便物や新聞等の配達物を受け入れるポストとして、前面に配達物の受入口が略長方形状に形成されるとともに、内部に配達物を収容する収容スペースが形成され、前記受入口の長手方向に延びる一端縁（短手方向の一端縁）に沿った軸周りで内部側に回転することで受入口を開放する略長方形状の蓋体を備えたものがある。
【０００３】
かかるポストは、受入口に開閉可能な蓋体を設けることにより、収容スペース内の配達物を取り出しにくくしたものであるが、蓋体を開ければ収容スペース内の配達物を受入口から簡単に取り出せてしまい、配達物の盗難を防止することができないものである。
【０００４】
そこで、発明者は、受入口からの配達物の受け入れを可能とする一方、収容スペースに収容した配達物の受入口からの取り出しを不可能にして該配達物の盗難を防止することができる配達物不正取出防止具を発明し、該配達物不正取出防止具に係る特許出願（特願２００６−１２３５７８号）をしている。
【０００５】
かかる配達物不正取出防止具は、ポストの前面内側になる平面状の前壁面に対して受入口の長手方向に延びる他端縁（短手方向の他端縁）に沿って取り付けられる第一取付部材と、受入口の前記一端縁側に位置して前記前面側から背面側に延びる平面状の内壁面に取り付けられる第二取付部材とで構成されている。そして、第一取付部材及び第二取付部材は、ポストに取り付けられた状態で、収容スペースと受入口との間で互いに相手側に向けて延出する取出阻止体を備え、第一取付部材及び第二取付部材の少なくとも何れか一方の取出阻止体が、受入口から入れられた配達物に押されて弾性変形することで配達物の収容スペースへの通過を許容するように構成されている。
【０００６】
前記第一取付部材及び第二取付部材は、何れもポスト内の壁面（前壁面、内壁面）に対して接着剤又は両面粘着テープを介して取り付けるようになっている。これにより、該配達物不正取出防止具は、既設のポスト（受入口から配達物を不正に取り出すことのできるポスト）に対して取り付けることで、当該ポストを受入口から不正に配達物を取り出せないものにすることができる。
【発明の開示】
【発明が解決しようとする課題】
【０００７】
ところで、上記構成の配達不正取出防止具は、第一取付部材については受入口の他端縁（蓋体を回転させる軸の配設された一端縁とは反対側の端縁）に沿って取り付けるため、該受入口の他端縁を基準とすることで適正な配置で取り付けることができるが、第二取付部材を取り付ける対象が何ら基準のない平面状の内壁面であるため、第二取付部材を適正な配置で取り付けにくいといった問題がある。
【０００８】
そのため、第二取付部材が適正な配置で取り付けられない場合があり、第二取付部材が蓋体側に位置しすぎて取出阻止体が蓋体の回転（受入口の開放）を阻害したり、逆に第二取付部材が蓋体から遠ざかりすぎて、第一取付部材及び第二取付部材の取出阻止体同士の間隔が広がって配達物が取り出せる状態になったりしてしまう場合がある。また、第一取付部材は、受入口の他端縁に沿うように前面壁に取り付けられるため、取出阻止体も前面壁及び受入口の他端縁に沿った状態になるが、第二取付部材が前面壁に傾斜した姿勢（前面壁に対して平行又は略平行でない姿勢）で内壁面に取り付けられると、該第二取付部材の取出阻止体と第一取付部材の取出阻止体との間隔が一定にならず、配達物を円滑に投入できなくなったり、広い隙間から配達物が取り出されたりする可能性もある。
【０００９】
そこで、本発明は、斯かる実情に鑑み、配達物の不正取り出しを防止する配達物不正取出防止具をポストに対して適正に取り付けることができ、配達物不正取出防止具本来の機能を十分に発揮させることのできる配達物不正取出防止具の取り付け方法を提供することを課題とする。
【課題を解決するための手段】
【００１０】
本発明に係る配達物不正取出防止具の取り付け方法は、前面に配達物の受入口が略長方形状に形成されるとともに、内部に配達物を収容する収容スペースが形成され、前記受入口の長手方向に延びる一端縁に沿った軸周りで内部側に回転することで受入口を開放する略長方形状の蓋体を備えたポストの前面内側の前壁面に対し、受入口の他端縁に沿って取り付けられる第一取付部材と、受入口の前記一端縁側に位置して前記前面側から背面側に延びる平面状の第一内壁面に取り付けられる第二取付部材とで構成され、第一取付部材及び第二取付部材は、ポストに取り付けられた状態で、収容スペースと受入口との間で互いに相手側に向けて延出する取出阻止体を備え、第一取付部材及び第二取付部材の少なくとも何れか一方の取出阻止体が、受入口から入れられた配達物に押されて弾性変形することで配達物の収容スペースへの通過を許容するように構成された配達物不正取出防止具の取り付け方法であって、第一取付部材を前壁面に対して受入口の他端縁に沿って取り付ける第一取付工程と、第二取付部材を第一内壁面に取り付ける第二取付工程とを備え、第二取付工程は、受入口の前記他端縁側に位置し、前記前面側から背面側に延びて第一内壁面と平行又は略平行な状態で対向する平面状の第二内壁面に位置決部材の被位置決面を沿わせるとともに、内側に回転させた蓋体の先端に前記位置決部材の被位置決部を沿わせ、該位置決部材をポストに対して位置決めしつつ第二内壁面に仮止めする位置決部材仮止工程と、仮止めされた位置決部材の前記被位置決部の反対側に形成された部材位置決部に第二取付部材を沿わせて蓋体の先端と平行又は略平行な姿勢で位置決めしつつ第一内壁面に固定する取付部材固定工程と、第二取付部材を第一内壁面に固定した後、位置決部材を取り外す位置決部材除去工程とを備えていることを特徴とする。なお、「仮止め」とは、接着剤や粘着テープ（片面粘着テープ又は両面粘着テープ）を介して取り外し可能に取り付ける（一時的に固定）することを意味する。
【００１１】
上記配達物不正取出防止具の取り付け方法によれば、第一取付部材を前壁面に対して受入口の他端縁に沿って取り付ける第一取付工程を備えているので、第一取付部材を前壁面及び受入口の他端縁に沿った適正な配置で取り付けることができる。
【００１２】
そして、第二取付部材を第一内壁面に取り付ける第二取付工程の位置決部材仮止工程において、受入口の前記他端縁側に位置し、前記前面側から背面側に延びて第一内壁面と平行又は略平行な状態で対向する平面状の第二内壁面に位置決部材の被位置決面を沿わせるとともに、内側に回転させた蓋体の先端に前記位置決部材の被位置決部を沿わせ、該位置決部材をポストに対して位置決めしつつ第二内壁面に仮止めするようにしているので、第二取付部材が取り付けられる第一内壁面と平行又は略平行をなして対向する第二内壁面と、内側に回転させた蓋体（受入口を開放した蓋体）の先端とを基準に位置決部材がポストに対して位置決めされた上で一時的に固定される。すなわち、位置決部材は、被位置決面を第二内壁面に沿わせた上で被位置決部を内側に回転させた蓋体の先端に沿わせることで、同一面上にある受入口、蓋体の回転中心となる軸、前面壁に対して均一な距離をおいて位置決めされた上で仮止め（一時的に固定）される。これにより、被位置決部の反対側に形成された部材位置決部が、受入口、蓋体の回転中心となる軸、前面壁に対して均一な距離をおいた状態、すなわち、受入口の他端縁に沿って取り付けられる第一取付部材と平行又は略平行をなし、蓋体の回転を許容した位置で位置決めされる。
【００１３】
そして、取付部材固定工程において、仮止めされた位置決部材の前記被位置決部の反対側に形成された部材位置決部に第二取付部材を沿わせて蓋体の先端と平行又は略平行な姿勢で位置決めしつつ第一内壁面に固定するようにしているので、第二取付部材は、蓋体及び第二内壁面を基準に位置決めされた位置決部材の部材位置決部を基準にして適正な姿勢で位置決めされた上で固定される。すなわち、位置決部材の部材位置決部は、上述の如く、位置決部材仮止工程で受入口の他端縁に沿って取り付けられる第一取付部材と平行又は略平行で、蓋体の回転を許容した位置で位置決めされているので、これに対して第二取付部材を沿わせながら第一内壁面に固定すると、第二取付部材は、部材位置決部と同様に、第一取付部材と平行又は略平行をなし、且つ蓋体の回転を許容した位置で位置決めされた状態で第一内壁面に固定される。
【００１４】
そして、位置決部材除去工程において、第二取付部材を第一内壁面に固定した後、位置決部材を取り外すことで、上述のように第一内壁面に固定された第二取付部材は、蓋体の軸周りでの回転を許容した上で、取出阻止体を第一取付部材側に延出した状態となる。
【００１５】
従って、上記取り付け方法を採用することで、第二取付部材の取出阻止体の存在で蓋体の開放が阻害されたり、前壁に取り付けた第一取付部材（取出阻止体）との間隔が開きすぎて配達物が取り出せる間隔になったりすることがなく、配達物不正取出防止具を本来の機能を発揮できる状態で簡単に取り付けることができる。
【００１６】
本発明の一態様として、前記位置決部材は、一方の面で前記被位置決面を構成する平板状のベース部と、該ベース部に対して直角又は略直角をなすようにベース部の他方の面に延設された平板状の延出部とを備え、前記被位置決部が延出部の一方の面で構成されるとともに、前記部材位置決部が延出部の他方の面で構成されたものを採用してもよい。このようにすれば、位置決部材が簡易な構成でありながら、第二取付部材を適正な配置で取り付けることができる。
【００１７】
特に、前記位置決部材は、前記延出部がベース部の一方の面の一端に延設され、断面Ｌ字状に形成されていることが好ましい。このようにすれば、他方の壁面に仮止めした位置決部材を容易に取り外して除去することができる。すなわち、ベース部と延出部とが接続される角部を支点に位置決部材全体を傾動させれば、テコの原理により、第二内壁面に仮止めしたベース部を第二内壁面から容易に取り外すことができる。
【発明の効果】
【００１８】
以上のように、本発明によれば、配達物の不正取り出しを防止する配達物不正取出防止具をポストに対して適正に取り付けることができ、配達物不正取出防止具本来の機能を十分に発揮させることができるといった優れた効果を奏し得る。
【発明を実施するための最良の形態】
【００１９】
以下、本発明の一実施形態に係る配達物不正取出防止具の取り付け方法について、添付図面を参照して説明する。
【００２０】
まず、配達物不正取出防止具の取り付け対象となるポストについて概略説明すると、かかるポストは、図１に示す如く、前面に配達物Ｐを受け入れる受入口１０が形成されるとともに、内部に受入口１０から投入された配達物Ｐを収容する収容スペース１１が形成され、前記受入口１０を開閉するための蓋体２を備えている。
【００２１】
具体的に説明すると、本実施形態に係るポスト１は、前後で対向した前壁１２及び後壁１３と、前面側から背面側（前壁１２の上端側から後壁１３の上端部）に向けて延びる天部１４と、該天部１４と対向し、前面側から背面側（前壁１２の下端部から後壁１３の下端部）に向けて延びる底部１５と、前壁１２、後壁１３、天部１４及び底部１５の側端同士を接続した一対の側壁１６，１６とを備え、これらによって内部に収容スペース１１を形成した箱状を呈している。前記前壁１２、後壁１３、天部１４、底部１５、及び側壁１６は、何れもが平板状に形成されており、内側で対向する壁面同士が平行又は略平行になっている。なお、図１に示したポスト１は、後壁１３が開閉可能な扉になっており、収容スペース１１に収容された配達物Ｐを後方から取り出せるようになっているが、例えば、前壁１２が開閉可能な扉になったものであってもよい。
【００２２】
前記受入口１０は、側壁１６，１６間（ポスト１の幅方向）で長手をなす略長方形状の開口で構成されている。該受入口１０は、前壁１２に形成した開口であってもよいが、本実施形態においては、天部１４と前壁１２との間に形成されている。前記蓋体２は、受入口１０の形状に対応して略長方形状に形成されたプレートで構成され、受入口１０に嵌め込まれた状態で設けられている。そして、該蓋体２は、受入口１０の長手方向に延びる（短手方向の）一端縁（天部１４側の端縁）に沿うように設けられた軸Ｘ周りで回転可能に設けられている。該蓋体２は、短手方向の他端部（軸Ｘ側とは反対側の端部）から外方に向けて突出して前壁１２の内面（以下、前壁面という）１２’と当接する位置決凸部（図示しない）が設けられるとともに、バネ等の付勢手段（図示しない）によってポスト１の内部から外側に向けて付勢されており、常態において、付勢手段による付勢と位置決凸部による位置決めとで前壁１２と略面一な姿勢で維持するようになっている。
【００２３】
そして、該蓋体２は、常態から９０°以上の角度で内部（収容スペース１１）側に向けて回転できるように構成されており、閉塞していた受入口１０を全面的に開放できるようになっている。
【００２４】
なお、本実施形態に係るポスト１は、上述の如く、後壁１３を開閉可能に構成されているが、第三者のアクセスを防止すべく、扉としての後壁１３を施錠できるように構成されている。具体的には、南京錠等のフック部を挿入するための穴Ｈの形成された突片１７，１７が、後壁１３の下端及び底部１５の後端部のそれぞれから後方に延出するように設けられている。そして、後壁１３（扉）を閉じた状態で、両者の突片１７，１７の穴Ｈが重なりあい、該穴Ｈに南京錠等のフック部を掛止させることで施錠できるようになっている。
【００２５】
次に、上記構成のポスト１に対して取り付けられる配達物不正取出防止具３について説明する。かかる配達物不正取出防止具３は、ポスト１の前面内側になる平面状の壁面（前壁面）１２’に受入口１０の他端縁（短手方向の他端縁）に沿って取り付けられる第一取付部材３０と、受入口１０の前記一端縁側に位置し、且つ当該ポスト１の前面側から背面側に延びる平面状の内側の壁面（本実施形態においては天部１４の内側の壁面：以下、この壁面を第一内壁面という）１４’に取り付けられる第二取付部材３１とを備えている。
【００２６】
第一取付部材３０及び第二取付部材３１は、ポスト１に取り付けられた状態で、収容スペース１１と受入口１０との間で互いに相手側に向けて延出する取出阻止体３００，３１０を備えている。すなわち、第一取付部材３０は、前壁面１２’に取り付けられた状態で、第二取付部材３１（取出阻止体３１０）に向けて延出する取出阻止体３００（以下、第一取出阻止体３００という）を備え、第二取付部材３１は、第一内壁面１４’に取り付けられた状態で、第一取付部材３０（取出阻止体３００）に向けて延出する取出阻止体３１０（第二取出阻止体３１０という。）を備え、第一取付部材３０及び第二取付部材３１の少なくとも何れか一方の取出阻止体３００，３１０が受入口１０から入れられた配達物Ｐに押されて弾性変形し、該配達物Ｐの収容スペース１１への通過を許容するように構成されている。
【００２７】
より具体的に説明すると、前記第一取付部材３０は、前壁面１２’（ポスト１の内面）に固定される第一ベース３０１と、該第一ベース３０１から延出した前記第一取出阻止体３００とを備えている。他方、第二取付部材３１は、天部１４に固定される第二ベース（ベース）３１１と、該第二ベース３１１から延出した前記第二取出阻止体３１０とを備えている。
【００２８】
第一ベース３０１及び第二ベース３１１は、何れも帯板状に形成されており、一方の面が両面粘着テープや接着剤を介してポスト１に固定される（取り付けられる）ようになっている。
【００２９】
前記第一取出阻止体３００及び第二取出阻止体３１０は、ポスト１に取り付けられた状態で、共同して受入口１０と収容スペース１１とを隔てるように形成されている。すなわち、前記第一取出阻止体３００及び第二取出阻止体３１０は、ポスト１に取り付けられた状態で相手側（第一取出阻止体３００は第二取出阻止体３１０側、第二取出阻止体３１０は第一取出阻止体３００側）に延出して受入口１０と収容スペース１１との間の配達物Ｐが通過する領域を概ね遮ることができるように形成されている。前記第一取出阻止体３００及び第二取出阻止体３１０は、受入口１０から入れられた配達物Ｐに押されることで弾性変形し、該配達物Ｐの通過を許容するようになっている。
【００３０】
本実施形態において、図２に示す如く、第一取出阻止体３００及び第二取出阻止体３１０は、いずれも鋼材料からなる複数本の線材３００ａ…，３１０ａ…で構成されている。第一取出阻止体３００及び第二取出阻止体３１０を構成する各線材３００ａ…，３１０ａ…は、何れもポスト１に取り付けた際に受入口１０の長手方向（幅方向）となる方向に間隔をおいて配設されている。すなわち、第一取出阻止体３００を構成する複数の線材３００ａ…は、第一ベース３０１の長手方向に間隔をおいて、該長手方向と直交する方向に各線材３００ａ…の軸線が伸びるように第一ベース３０１に固定されている。第二取出阻止体３１０を構成する複数の線材３１０ａ…は、第二ベース３１１の長手方向に間隔をおいて、該長手方向と直交する方向に各線材３１０ａ…の軸線が伸びるように第二ベース３１１に固定されている。
【００３１】
第一取出阻止体３００の線材３００ａ…は、真っ直ぐなままにしておくと、第一ベース３０１を前壁１２（前壁面１２’）に固定したときに、該前壁面１２’に沿った状態になるので、第一取出阻止体３００の線材３００ａ…は、第一ベース３０１から延出する基部が曲げられ、前壁面１２’の（当該ポスト１の前面内側）に対して傾斜した姿勢になるように形成されている。また、第二取出阻止体３１０の線材３００ａ…，３１０ａ…についても、真っ直ぐなままにしておくと、第二ベース３１１を天部１４（第一内壁面１４’）に固定したときに、該第一内壁面１４’に沿った状態になるので、第二取出阻止体３１０を構成する各線材３１０ａ…は、第二ベース３１１から延出する基部が曲げられ、取り付け時に第一内壁面１４’に対して傾斜した姿勢になるように形成されている（図１参照）。なお、各線材３００ａ…，３１０ａ…は、配達物Ｐの収容スペース１１側への通過が円滑に行えるように先端側が適宜曲げ加工されている。
【００３２】
次に、ポスト１に対する配達物不正取出防止具３（第一取付部材３０、第二取付部材３１）の取り付け方法について説明する。前記配達物不正取出防止具３（第二取付部材３１）には、図３に示す位置決部材４を用いる。
【００３３】
ここで位置決部材４について図１及び図３を参照して説明すると、該位置決部材４は、内側に回転させた蓋体２の先端（回転中心となる軸Ｘに取り付けられる端縁とは反対側の端縁であって、真っ直ぐに延びる線状の端縁）と、受入口１０の短手方向の他端縁側に位置し、且つ当該ポスト１の前面側から背面側に延びて第一内壁面１４’と対向する平面状の壁面（本実施形態においては、底部１５の壁面：以下、この壁面と第二内壁面という）１５’と、に同時に沿わせることができるようになっている（以下、位置決部材４の第二内壁面１５’に沿わせる部位を被位置決面４０といい、蓋体２の先端に沿わせる部位を被位置決部４１という）。さらに、該位置決部材４は、蓋体２の先端及び第二内壁面１５’に沿わせた状態で、蓋体２の先端と平行又は略平行な姿勢となるように第二取付部材を沿わせることのできる位置決部（以下、部材位置決部という）４２が、被位置決部４１の反対側に形成されている。
【００３４】
より具体的に説明すると、該位置決部材４は、第二取付部材３１を取り付ける第一内壁面１４’と対向する第二内壁面１５’に沿わせる平面状の前記被位置決面４０が形成されており、該被位置決面４０に対して略直角方向に延び且つ蓋体２の長手方向で、該蓋体２の先端に対して線状に接触可能又は間隔をおいて少なくとも二点で接触可能（本実施形態においては線状に接触可能）な被位置決部４１が形成されるとともに、該被位置決部４１の反対側で該被位置決面４０に対して略直角方向に延び且つ蓋体２の長手方向で、第二取付部材３１を線状に又は間隔をおいて少なくとも二点で接触（本実施形態においては線状に接触）させるための部材位置決部４２が形成されている。
【００３５】
すなわち、該位置決部材４は、内側に回転させた蓋体２の先端に被位置決部４１を沿わせるとともに第二内壁面１５’に被位置決面４０を沿わせることで、第二取付部材３１を沿わせるための部材位置決部４２が蓋体２の回転を阻害することのない位置で被位置決部４１（前壁面１２’）に対して平行又は略平行になるように形成されている。
【００３６】
本実施形態に係る位置決部材４は、一方の面で前記被位置決面４０を構成する平板状に形成されたベース部４４と、該ベース部４４に対して直角又は略直角をなすように、ベース部４４の他方面に延設された延出部４５とを備えており、被位置決部４１が延出部４５の一方の面で、部材位置決部４２が延出部４５の他方の面で構成されている。そして、本実施形態に係る位置決部材４は、ベース部４４及び延出部４５が透明な樹脂プレートで構成され、ベース部４４の一端から延出部４５が延出し、ベース部４４と延出部４５との接続位置に角部Ａを形成して断面略Ｌ字状を呈している。
【００３７】
さらに、該位置決部材４は、前壁１２が開閉可能な扉として構成されたポスト１にも適用できるように、少なくとも延出部４５の幅寸法（ベース部４４からの延出方向と直交する方向の寸法）が、側壁１６，１６間の間隔よりも短く設定されており、収容スペース１１内の配置した状態で位置決部材４の少なくとも片側（好ましくは両側）から作業者の手をポスト内に入れることができるようになっている。
【００３８】
そして、配達物不正取出防止具３をポスト１に取り付けるには、まず、図４（ａ）に示す如く、ポスト１の扉（本実施形態においては後壁１３）を開け、位置決部材４を収容スペース１１内に配置する。本実施形態においては、ベース部４４と延出部４５とが接続された角部Ａが前壁１２側になるように位置決部材４を収容スペース１１内に配置する。
【００３９】
そして、蓋体２を内側に回転させて受入口１０を開放し、内側に回転させた蓋体２の先端と第二内壁面１５’とに位置決部材４を沿わせる。すなわち、受入口１０を開放した蓋体２の先端に位置決部材４の被位置決部４１を当接させるとともに、被位置決面４０を第二内壁面１５’（底部１５の壁面）に沿わせる。この状態で、位置決部材４は、蓋体２の先端、及び第二内壁面１５’を基準にした配置でポスト２に対して位置決めされることになる（第二取付工程：位置決部材仮止工程）。これにより、被位置決部４１が内側に回転させた蓋体２の先端（端縁）に沿った状態となり、また、被位置決部４１の反対側に形成された部材位置決部４２も内側に回転させた蓋体２の先端、すなわち、蓋体２の回転中心となる軸Ｘ及び前壁面１２’に沿った状態になる。なお、位置決部材４を位置決めするにあたり、蓋体２は、軸Ｘ周りで回転できる範囲において、前壁面１２’と直交する方向での前壁面１２’から蓋体２の先端までの距離が最大になる位置まで回転させることが好ましく、通常、受入口１０を閉じた状態から蓋体２を概ね９０°回転させた上で、該蓋体２の先端に被位置決部４１を沿わせる（当接させる）ことになる。
【００４０】
その後、位置決部材４を位置決めされた姿勢を維持させつつ第二内壁面１５’に仮止めする（第二取付工程：位置決部材仮止工程）。この際、粘着テープでベース部４４を底部１５に固定する程度でよいが、例えば、予めベース部４４の被位置決面４０に両面粘着テープを貼り付けておいたり、接着力の弱い接着剤を被位置決面４０に塗布しておいたりして、上述の如く、内側に回転させた（受入口１０を開放した）蓋体２の先端に位置決部材４の被位置決部４１を当接させるとともに第二内壁面１５’（底部１５の壁面）に被位置決面４０を沿わせたときに、両面粘着テープ又は接着剤等の接着手段を介してベース部４４を第二内壁面１５’に接着するようにしてもよい。但し、位置決部材４は、第二取付部材３１を位置決めするためだけに用いるもので、第二取付部材３１を固定した後に取り除くため、ベース部４４を固定する接着手段は、ベース部４４を第二内壁面１５’から剥離できる程度の接着力を有するものが採用される。
【００４１】
そして、図４（ｂ）に示す如く、第二取出阻止体３１０を先頭にして第二取付部材３１を収容スペース１１内に入れ、仮止めされた位置決部材４の部材位置決部４２に第二取付部材３１を沿わせる（第二取付工程：取付部材固定工程）。本実施形態に係る第二取付部材３１は、第二取出阻止体３１０が並列に配設された複数の線材３１０ａ…で構成されているので、部材位置決部４２に複数の線材３１０ａ…の先端側を沿わせることで、第二取付部材３１全体が部材位置決部４２に沿って、蓋体２の先端（前壁面１２’）と平行又は略平行な姿勢となる。そして、第二取付部材３１を部材位置決部４２に沿わせたまま、第二ベース３１１を第一内壁面１４’（天部１４の壁面１４’）に固定する（第二取付工程：取付部材固定工程）。この場合、第二ベース３１１に予め接着剤を塗布しておくか、或いは、両面粘着テープを貼着しておき、接着剤又両面粘着テープを介して第二取付部材３１を第一内壁面１４’に固定する。但し、第二取付部材３１は、位置決部材４とは異なり、ポスト１に対して長期に亘って貼着状態（固定状態）を維持させる必要があり、また、取り付け後における受入口１０から投入される配達物Ｐによる押し作用に耐える必要があるため、第二取付部材３１を固定するための接着剤又は両面粘着テープには接着力が非常に大きなものが採用される。
【００４２】
このように第二取付部材３１を第一内壁面１４’に固定した後、図４（ｃ）に示す如く、位置決部材４をポスト１から取り外す（第二取付工程：位置決部材除去工程）。本実施形態において、位置決部材４が断面Ｌ字状に形成されているので、延出部４５を前壁１２側に押し、位置決部材４のベース部４４と延出部４５との接続部分（角部）Ａを支点にして位置決部材４全体を傾倒させる。そうすると、テコの原理により延出部４５に対する押し作用が、第二内壁面１５’からベース部４４を剥離させるように作用する結果、仮止めされた位置決部材４を第二内壁面１５’から容易に取り外すことができる。本実施形態においては、位置決部材４をベース部４４の一端側（角部Ａ側）を先頭にして収容スペース１１内に入れているため、上述のように角部Ａを支点にして位置決部材４を前壁１２側に傾倒させるようにしても、第一内壁面１４’に固定された第二取付部材３１が傾倒する位置決部材４に押されることがない。
【００４３】
なお、位置決部材４の部材位置決部４２に沿わせた第二取付部材３１の第二取出阻止体３１０は弾性変形可能であるので、仮止めを解除するのに位置決部材４を後壁１３に傾倒させても、第二取出阻止体３１０が弾性変形することで許容される。但し、第二取付部材３１を固定した初期の段階では接着剤等の接着強度が十分に発揮されないため、このような状態で第二取付部材３１に不要な押圧力を作用させないように、位置決部材４を取り外すに際して第二取付部材３１の存在しない方向に位置決部材４を傾倒させることが好ましいことは言うまでもない。
【００４４】
そして、傾倒させることで第二内壁面１５’に対する仮止めが解除された位置決部材４をさらに横臥状態にしてポスト１の後方側（扉としての後壁１３を開放した部分）から取り出す。そうすると、第二取付部材３１の前壁１２側に位置決部材４が存在しなくなるので、第一内壁面１４’に固定された第二取付部材３１は、前壁面１２’及び受入口１０の短手方向の端縁に沿った姿勢で、第二取出阻止体３１０が蓋体２の開閉を阻害することなく前壁面１２’側に延出した状態となる。
【００４５】
そして、図４（ｄ）に示す如く、第一取付部材３０を前壁面１２’に取り付ける（第一取付工程）。この場合、第一ベース３０１が受入口１０の短手方向の他端縁（長手方向に延びる直線状の端縁であって、一方の第一内壁面１４’と対向する第二内壁面１５’側に位置する端縁）に沿うように固定する。このとき、第一ベース３０１に予め接着剤を塗布しておくか、或いは、両面粘着テープを貼着しておき、接着剤又両面粘着テープを介して第一取付部材３０を第一内壁面１４’に固定する。但し、第一取付部材３０は、第二取付部材３１と同様に、長期に亘ってポスト１に対して長期に亘って貼着状態（固定状態）を維持させる必要があり、また、取り付け後における受入口１０から投入される配達物Ｐによる押し作用に耐える必要があるため、第一取付部材３０を固定するための接着剤又は両面粘着テープには接着力が非常に大きなものが採用される。
【００４６】
このように第一取付部材３０及び第二取付部材３１をポスト１に取り付けることで、図１に示す如く、第二取付部材３１の第二取出阻止体３１０（線材３１０ａ…）の存在で蓋体２の開放が阻害されたり、前壁１２に取り付けた第一取付部材３０の第一取出阻止体３００（線材３００ａ…）との間隔が開きすぎて配達物Ｐを容易に取り出せる間隔になったりすることがなく、配達物不正取出防止具３本来の機能を発揮できる状態となる。
【００４７】
具体的には、上述の如くポスト１に取り付けられた配達物不正取出防止具３の第一取出阻止体３００及び第二取出阻止体３１０が、受入口１０と収容スペース１１との間で配達物Ｐが通過する領域の多くを遮っているため、受入口１０から配達物Ｐが入れられる際、該配達物Ｐによって第一取出阻止体３００、及び第二取出阻止体３１０がポスト１内部側に押されることになる。そうすると、その配達物Ｐによって押された第一取出阻止体３００（線材３００ａ…）、及び第二取出阻止体３１０（線材３１０ａ…）は、それぞれ弾性変形して互いの先端部が離間して配達物Ｐの通過を許容することになる。そして、配達物Ｐが第一取出阻止体３００と第二取出阻止体３１０との間を完全に通過して収容スペース１１に収容されると、第一取出阻止体３００及び第二取出阻止体３１０は、自己の復元力によって元の姿勢に戻り、受入口１０と収容スペース１１との間で配達物Ｐが通過する領域を遮った状態に戻ることになる。
【００４８】
そして、何らかの者が受入口１０に手を入れて配達物Ｐを取り出そうとしても、第一取出阻止体３００及び第二取出阻止体３１０の存在によって、収容スペース１１内の配達物Ｐにまで手が届かず、配達物Ｐが盗まれてしまうことが防止される。仮に、収容スペース１１内の配達物Ｐに手が届いて受入口１０から無理矢理取り出そうとしても、配達物Ｐが第一取出阻止体３００及び第二取出阻止体３１０の先端側に引っ掛かることで、受入口１０から外部に取り出されることもない。
【００４９】
以上のように、本実施形態に配達物不正取出防止具３の取り付け方法は、前記位置決部材４をポスト１に対して位置決めした上で、該位置決部材４を基準にして第二取付部材３１を取り付けるようにしているので、第二取付部材３１の第二取出阻止体３１０（線材３１０ａ…）の存在で蓋体２の開放が阻害されたり、第一取出阻止体３００（線材３００ａ…）と第二取出阻止体３１０（線材３１０ａ…）との間隔が開きすぎて配達物Ｐが不正に取り出せる間隔になったりすることがなく、本来の機能を発揮できる状態で配達物不正取出防止具３を既設のポスト１に簡単に取り付けることができる。
【００５０】
また、第二内壁面１５’に沿わせる平板状のベース部４４と、該ベース部４４に対して直角又は略直角をなすようにベース部４４の一方の面に延設された平板状の延出部４５とを備え、被位置決部４１及び部材位置決部４２が延出部４５の両面で構成した位置決部材４を採用したので、位置決部材４を簡易な構成としつつも第二取付部材３１を適正な配置で取り付けることができる。
【００５１】
さらに、位置決部材４を、ベース部４４の一方の面の一端に延出部４５を延設して角部Ａを形成した構成としたので、第二内壁面１５’に仮止めした位置決部材４を容易に取り外して除去することができる。
【００５２】
また、位置決部材４の延出部４５を透明な樹脂プレートで構成したので、蓋体２との接触状態やポスト１内での配置状態を確認しつつ位置決部材４を適正に配置することができる。
【００５３】
尚、本発明は、上記の何れの実施形態にも限定されるものではなく、本発明の要旨を逸脱しない範囲内において種々変更を加え得ることは勿論である。
【００５４】
上記実施形態において、第二取付部材３１を取り付けた後に、第一取付部材３０を取り付けるようにしたが、これに限定されるものではなく、第一取付部材３０をポスト１に取り付けた後に、第二取付部材３１をポスト１に取り付けるようにしてもよい。但し、第二内壁面１５’に沿わせた位置決部材４の被位置決部４１を蓋体２の先端に沿わせるに際し、第一取付部材３０が位置決部材４と干渉するような場合には、上記実施形態と同様に、第二取付部材３１を取り付けた後に第一取付部材３０を取り付ければよい。すなわち、取出阻止体３００，３１０の形態に応じ、第一取付部材３０及び第二取付部材３１の取り付け順序は適宜変更すればよい。
【００５５】
上記実施形態において、第二取付部材３１の位置決めを行う位置決部材４を、ベース部４４と、ベース部４４に対して直角又は略直角をなすようにベース部４４の一方の面の一端に延設された延出部４５とで断面Ｌ字に形成したが、位置決部材４の形態はこれに限定されるものではなく、例えば、図５に示す如く、断面Ｔ字状となるようにベース部４４に対して延出部４５を延設したものであってもよい。但し、第二内壁面１５’に仮止めした位置決部材４の取り外し易さを考慮すると、上記実施形態のように、延出部４５をベース部４４の一端に延設し、取り外し時にベース部４４と延出部４５とを接続した角部Ａが支点となるようにすることが好ましい。
【００５６】
上記実施形態において、ベース部４４及び延出部４５の両方を平板状に形成したが、これに限定されるものではなく、例えば、図６に示す如く、ベース部４４（被位置決面４０）と直角をなして一列に並ぶように、二つ以上の棒材又は帯板材４００…をベース部４４の一方の面に延設した位置決部材４であってもよい。このように位置決部材４を構成すると、被位置決面４４を第二内壁面１５’に沿わせるとともに、各棒材又は帯板材４００…を内側に回転させた蓋体２の先端に当接させることで、該位置決部材４を蓋体２の先端及び第二内壁面１５’に沿わせることができる。従って、該位置決部材４においては、二つ以上の棒材又は帯状材４００…の蓋体２と当接させる部位が当該位置決部材４の被位置決部４１となり、該被位置決部４１の反対側の部位が第二取付部材３１を沿わせる部材位置決部４２となる。
【００５７】
上記実施形態において、第一取付部材３０及び第二取付部材３１を金属材料で構成したが、これに限定されるものではなく、例えば、全体を樹脂成形品で構成したり、樹脂成形品と金属材料との組み合わせで構成したりしても勿論よい。
【００５８】
また、配達物不正取出防止具３は、複数の線材３００ａ…，３１０ａ…を並列に配設して第一取出阻止体３００及び第二取出阻止体３１０を構成したものに限定されるものではなく、例えば、第一取出阻止体３００及び第二取出阻止体３１０の両者を弾性変形可能な薄板で構成するようにしてもよい。この場合、上記実施形態のように互いの先端部を交差するような態様にすることができないため、それぞれの先端同士をできるだけ接近させた態様にすることが好ましい。
【００５９】
また、上記実施形態においても、第一取出阻止体３００及び第二取出阻止体３１０の両者を弾性変形可能に構成したが、例えば、第一取出阻止体３００又は第二取出阻止体３１０の何れか一方を弾性変形可能に構成し、その一方のみが受入口１０から入れられた配達物Ｐに押されて弾性変形することで、該配達物Ｐの収容スペース１１への通過を許容するようにしてもよい。このようにしても、配達物Ｐの受け入れが可能となる一方、受入口１０と収容スペース１１との間を隔てる第一取出阻止体３００及び第二取出阻止体３１０の存在によって、受入口１０からの配達物Ｐの取り出しを防止することができる。
【００６０】
そして、上記実施形態において、後壁１３を開閉可能な扉としたポスト１を前提に説明したが、これに限定されるものではなく、例えば、前壁１２を開閉可能な扉としたポストであってもよい。この場合、上記実施形態のように位置決部材４を延出部４５の延出する方向と直交する方向の幅寸法を、ポスト１の側壁１６，１６間の間隔よりも狭く設定し、第二内壁面１５’に位置決部材４を配置した状態で、該位置決部材４の両側からポスト１内（収容スペース１１）内に作業者の手が入るようにしておけばよい。この場合の取り付け方法としては、前壁１２を開いて第二取付部材３１を位置決部材４よりも奥に配置しておき、位置決部材４の被位置決部４１を、開いた蓋体２の先端に沿わせて仮止めし、位置決部材４の両側から作業者が手を入れて奥に配置した第二取付部材３１を部材位置決部４２に沿わせて一方の第一内壁面１４’に固定する。そして、位置決部材４を第二内壁面１５’から取り外せば、第二取付部材３１が適正な配置で取り付けられた状態にすることができる。
【００６１】
また、上記実施形態において、受入口１０及び蓋体２が長方形状に形成され、受入口１０及び蓋体２が横長となるポスト１について説明したが、これに限定されるものではなく、図示しないが、例えば、受入口１０及び蓋体２が長方形状に形成され、受入口１０及び蓋体２が縦長となり、蓋体２が受入口１０の短手方向の一端縁に沿って上下（鉛直方向）に延びる軸周りで回転可能なポストであってもよい。
【００６２】
この場合、受入口１０及び蓋体２（軸）との配置の関係で、上記実施形態における天部１４及び底部１５が当該ポストの側壁になり、上記実施形態の側壁１６，１６が当該ポストの天部及び底部になるが、あくまでも、第一取付部材３０は、受入口１０の短手方向の他端縁に沿うようにポスト１の前面内側（前壁面）に取り付けられ、第二取付部材３１は、受入口１０の短手方向の一端縁側に位置して前記前面側から背面側に延びる平面状の壁面（第一内壁面）に取り付けられるので、この場合においては、当該ポストにおける一方の側壁の内面（第一内壁面）に第二取付部材３１が取り付けられることになる。従って、この場合の位置決部材４の位置決めの基準は、あくまでも回転させた蓋体２の先端と、一方の側壁と対向する他方の側壁の内面（第二内壁面）となるので、第二取付部材３１をポストに取り付ける場合、位置決部材４は、回転させた蓋体２の先端及び側壁の内面である第二内壁面に沿わせた上で、該第二内壁面に仮止めされることになる。
【図面の簡単な説明】
【００６３】
【図１】本発明の一実施形態に配達物不正取出防止具の取り付け方法により、配達物不正取出防止具を取り付けたポストの縦断面図を示す。
【図２】同実施形態に係る配達物不正取出防止具の取り付け方法でポストに取り付けられる（配達物不正取出防止具）の説明図であって、第一取付部材及び第二取付部材の構成及び配置を説明するための説明図を示す。
【図３】同実施形態に係る配達物不正取出防止具の取り付け方法に用いる位置決部材の斜視図を示す。
【図４】同実施形態に係る配達物不正取出防止具の取り付け方法の説明図であって、（ａ）は、蓋体を開けて位置決部材を位置決めし、該位置決部材を仮止めした状態を示し、（ｂ）は、位置決めされた位置決部材で第二取付部材を位置決めして壁面に取り付ける状態を示し、（ｃ）は、仮止めした位置決部材を取り外す状態を示し、（ｄ）は、第一取付部材を前面内側（前壁の内面）に取り付ける状態を示す。
【図５】同実施形態に係る配達物不正取出防止具の取り付け方法に用いる他の形態の位置決部材の斜視図を示す。
【図６】同実施形態に係る配達物不正取出防止具の取り付け方法に用いる別の形態の位置決部材の斜視図を示す。
【符号の説明】
【００６４】
１…ポスト、２…蓋体、３…配達物不正取出防止具、４…位置決部材、１０…受入口、１１…収容スペース、１２…前壁、１２’…前壁面（壁面）、１３…後壁、１４…天部、１４’…第一内壁面（壁面）、１５…底部、１５’…第二内壁面（壁面）、１６…側壁、１７…突片、３０…第一取付部材、３１…第二取付部材、４０…被位置決面、４１…被位置決部、４２…部材位置決部、４４…ベース部、４５…延出部、３００…第一取出阻止体（取出阻止体）、３００ａ…線材、３０１…第一ベース、３１０…第二取出阻止体（取出阻止体）、３１０ａ…線材、３１１…第二ベース、Ａ…角部、Ｈ…穴、Ｐ…配達物、Ｘ…軸
【図１】
2008142262.tif 000003
【図２】
2008142262.tif 000004
【図３】
2008142262.tif 000005
【図４】
2008142262.tif 000006
【図５】
2008142262.tif 000007
【図６】
2008142262.tif 000008